(57)【要約】【課題】棚の不完全な引き起こし等により、ピンがストッパ部品に引っかかってしまうことが防止され、不用意な柵の落下を防止することができるベッドの柵を提供する。【解決手段】ベッドフレームに平行に延びるレール１に、複数個の縦棒２の下端が回転可能に支持されており、縦棒２の上端は横棒により連結されている。そして、ストッパ板７が縦棒２のうちの一つに回転可能に支持され、レール１に固定されたピン９がストッパ板７に形成した溝１０に挿通している。引張ばね１１によりストッパ板７はピン９が溝１０の屈曲部分１０ａに入り込む方向に付勢されている。また、隣接する縦棒２には、ねじりコイルばね１４が装着されていて、この縦棒２を常に倒れる方向に付勢している。【選択図】  図２
2004236839.tif 000002
【特許請求の範囲】
【請求項１】
ベッド本体に固定され前記ベッド本体の長手方向に延びる柵支持部材と、その下端が前記柵支持部材に回転可能に支持された複数個の縦棒と、この縦棒を相対的に回転可能に連結し複数個の前記縦棒を相互に平行になるように回動させる横棒と、前記縦棒のうちの少なくとも一つに設けられ前記縦棒が起立したときに前記縦棒をその状態に保持すると共に解除操作により前記縦棒の保持を解除するストッパと、前記縦棒の少なくとも一つに設けられ前記縦棒を倒れる方向に付勢する第１付勢部材とを有することを特徴とするベッドの柵。
【請求項２】
前記ストッパは、前記縦棒のうちの一つに回転可能に支持されたストッパ板と、前記柵支持部材に固定されたストッパピンと、前記ストッパ板に形成され前記ストッパピンを挿通して前記ストッパ板に対する前記ストッパピンの位置を案内する溝と、を有し、前記溝は、前記縦棒が起立したときに前記ストッパピンを係止する係止部を有し、この係止を解除するために前記ストッパ板を強制的に回転させるものであることを特徴とする請求項１に記載のベッドの柵。
【請求項３】
前記ストッパは、前記横棒に固定されたストッパ基部と、このストッパ基部に対して前記横棒に接近離隔移動するように支持されたストッパ移動部と、前記縦棒のうちの一つに固定され前記縦棒と共に回転するストッパ回転部と、前記ストッパ移動部に固定された垂直のピンと、前記ストッパ回転部に形成され前記縦棒が起立したときに前記ピンが嵌合する孔と、を有し、前記ピンの前記孔への嵌合を解除するために、前記ストッパ移動部を前記横棒に近づく方向に強制的に移動させるものであることを特徴とする請求項１に記載のベッドの柵。
【請求項４】
前記ストッパ板を前記ストッパピンが前記係止部に入る方向に付勢する第２付勢部材を有することを特徴とする請求項２又は３に記載のベッドの柵。
【請求項５】
前記柵支持部材は、前記ベッド本体のフレームにこのフレームに固定され前記フレームに平行に延びるレールであることを特徴とする請求項１乃至４のいずれか１項に記載のベッドの柵。
【請求項６】
ベッド本体に回転可能に支持された１又は複数個のリンクと、このリンクの先端にリンクに対して回転可能に支持された柵本体と、前記棚本体が上端に回動しているときに前記棚本体と前記リンクの少なくとも一つとが相対的に回転しないように係止すると共にこの係止を解除して前記棚本体を下降させる係止部材と、前記リンクの少なくとも一つを前記棚本体が下降する方向に付勢する第１付勢部材を有することを特徴とするベッドの柵。
【請求項７】
前記リンクの少なくとも一つを前記棚本体が上方に回動する方向に付勢する第２付勢部材を有することを特徴とする請求項６に記載のベッドの柵。
【請求項８】
前記第１付勢部材は、ねじりコイルバネであることを特徴とする請求項１乃至７のいずれか１項に記載のベッドの柵。
【請求項９】
前記第１付勢部材は、引張バネ又は弾性部材であることを特徴とする請求項１乃至７のいずれか１項に記載のベッドの柵。
【請求項１０】
前記第１付勢部材は、圧縮バネであることを特徴とする請求項１乃至７のいずれか１項に記載のベッドの柵。
【発明の詳細な説明】
【０００１】
【発明の属する技術分野】
本発明は、介護ベッド等のベッドの側部に設けられるベッドの柵に関し、特に患者がベッド上に寝ているときに起立させ（起こし）、患者の治療時又は患者がベッドから離れるときに下降する（倒す）回転又は移動機構をもつベッドの柵に関する。
【０００２】
【従来の技術】
この種の介護用ベッドの柵は、柵を折りたたむタイプ、平行リンクタイプ及び昇降タイプ等があり、例えば、特許文献１乃至４に開示されている。図１はベッドの側部に設けられた柵を示す側面図、図１１は従来の柵のストッパ部を示す側面図である。柵支持部材であるレール１がベッドのフレームに平行になるようにしてこのフレームに固定されている。このレール１は、フレームに平行に延びる２本の平行な部材と、この平行部材間を架け渡して平行部材を連結する複数個の連結部１３とを有し、この連結部１３を回転軸として、柵の複数個の縦棒２が回転可能に支持されている。そして、これらの縦棒２が相互に平行になるように、縦棒２の上端部が横棒３により回転可能に連結されている。これにより、柵を構成する複数個の縦棒２と横棒３とが、縦棒２が起立した状態（横棒３が上位）と、縦棒２が倒れた状態（横棒３が下位）との間で回転又は移動する。
【０００３】
図示例は、４個の縦棒２に１個の横棒３が連結され、この縦棒及び横棒の組が２組設けられている。各組の縦棒のうち、相手の組に近い２本の縦棒２には、その下端にリンク５が縦棒２に対する角度が一定になるように固定されており、このリンク５の下端は連結部材４に回転可能に連結されている。従って、２組の柵の内、一方の組を起こしたり、倒したりすると、他方の組も連動して起きたり、倒れたりする。
【０００４】
そして、例えば右端の縦棒２の下部には、ストッパ板７が回転軸６により回転可能に支持されている。このストッパ板７には、溝１０が形成されており、溝１０には、レール１の側面に固定され側面に立設された水平のピン９が挿通している。この溝１０は、縦棒２の回転と共にストッパ板７が回転した場合に、その回転を阻害せずに自由に回転させるように、回転軸６に向かって直線状に延びた部分１０ｂと、この直線部分１０ｂの回転軸６側の部分で直線部分１０ｂに対してほぼ垂直に屈曲した部分１０ａとを有する。この屈曲部分１０ａは、図１１に示すように、この部分にピン９が入り込むと、縦棒２が倒れる方向に回転しようとしても、縦棒２の回転により回転軸６が移動しようとする方向と溝１０の屈曲部分１０ａの長手方向とがほぼ直交しているために、縦棒２は回転することができない。従って、このとき、ストッパ板７は縦棒２が回転しないようにするストッパ機能を有する。また、ストッパ板７とレール１との間には、第１付勢部材としての引張ばね１１が介装されており、この引張ばね１１により、ストッパ板７が図１１の時計方向に回転する方向に付勢されている。従って、引張ばね１１はピン９が屈曲部分１０ａに入り込む方向にストッパ板７を付勢している。
【０００５】
この溝１０の屈曲部分１０ａへのピン９の係合を解除するためには、作業者がストッパ板７の押圧部８を押して、ストッパ板７を図１１の反時計方向に強制的に回転させる必要がある。
【０００６】
従って、柵を例えばその横棒３をもって持ち上げることにより、柵を起立した状態にすることができ、このとき、縦棒２の回転に伴い、ピン９が溝１０の屈曲部分１０ａに入り込み、ピン９が屈曲部分１０ａに入り込んだ場合には、縦棒２が逆に回転して倒れることできないから、ストッパ板７とピン９とによるストッパ機構により、柵は縦棒２が起立した状態に保持される。この場合に、引張ばね１はストッパ板７をピン９が溝１０の屈曲部分１０ａに入り込む方向に付勢しているので、一旦起立した縦棒２が不用意に倒れ込むことはない。柵を下げる（折りたたむ）場合には、引張ばね１１の付勢力に抗してストッパ板７の押圧部８を押すことにより、ストッパ板７を強制的に回転させ、ピン９を屈曲部分１０ａから強制的に離脱させて両者の係合を解除する。一旦、ピン９の屈曲部分１０ａへの係合が解除された後は、柵は容易にたたみ込むことができる。
【０００７】
また、図１３は従来の別のストッパ機構を示す図である。このストッパ機構は、図４に示すように、縦棒２の上部に設けられている。横棒３にはストッパ基部２０が固定されており、このストッパ基部２０にはストッパ移動部２１が上下に移動可能に、即ち、横棒３に対して接近離隔移動可能に支持されている。このストッパ移動部２１は、横棒３との間に介装された圧縮ばね２４により、横棒３から離隔する方向に、即ち下方に向けて付勢されている。そして、このストッパ移動部２１には、垂直ピン２３が固定されている。また、縦棒２の上端部には、ストッパ回転部２２が固定されており、このストッパ回転部２２には、縦棒２が起立したときに、垂直ピン２３が挿通する孔２５が形成されている。
【０００８】
これにより、縦棒２が起立して垂直ピン２３が孔２５に嵌合した状態で、縦棒２は倒れる方向に回転できなくなり、縦棒２及び横棒３からなる柵は、起立した状態にロックされる。一方、柵を下げる場合には、横棒３との間でストッパ移動部２１を握持して、圧縮ばね２４の付勢力に抗して、ストッパ移動部２１を上昇させる。これにより、垂直ピン２３が上昇し、孔２５から垂直ピン２３が抜けるため、縦棒２は回転することができるようになり、柵は折りたたまれる。
【０００９】
【特許文献１】特開平０９−２０６３３８
【特許文献２】特開平１１−１０４１８７
【特許文献３】特開２０００−０４２０５７
【特許文献４】特開２０００−０８３７６４
【００１０】
【発明が解決しようとする課題】
しかしながら、これらの従来のベッドの柵は以下に示すような欠点を有する。図１１に示すストッパは、柵を持ち上げて、ピン９が溝１０の屈曲部分１０ａに入り込むことにより、縦棒２が倒れないようにこれをロックすることができるのであるが、図１２に示すように、棚の引き起こし操作が不完全である場合に、ピン９がストッパ板７の溝１０の屈曲点に中途半端に引っかかり１２を生じてしまう。このとき、柵自体の質量は軽いので、柵はこの状態に保持されてしまう。しかし、患者、介護者又は看護者等の使用者が柵に体重をかけると、屈曲部分１０ａからピン９が外れ、柵が急激に落下してしまうという問題点がある。この点は、柵の下げ操作時に、押圧部８を不完全に押圧した場合も、引っかかりが生じ、柵が下降しない状態で、柵に体重をかけた場合に、柵が急激に落下する可能性がある。
【００１１】
一方、図１３に示すストッパ機構の場合も、図１４に示すように、ピン２３が孔２５内に入り込まず、ピン２３の下端角部で引っかかり２６が生じることがある。そうすると、ストッパ移動部２１が上昇した状態で、縦棒２が垂直になってあたかも起立したかのような状態となり、棚がこの状態に保持されてしまう。このとき、使用者が棚に体重をかけると、ピン２３が孔２５の上端から外れ、棚が急激に落下してしまう。
【００１２】
本発明はかかる問題点に鑑みてなされたものであって、棚の不完全な引き起こし等により、ピンがストッパ部品に引っかかってしまうことが防止され、不用意な柵の落下を防止することができるベッドの柵を提供することを目的とする。
【００１３】
【課題を解決するための手段】
本願第１発明に係るベッドの柵は、ベッド本体に固定され前記ベッド本体の長手方向に延びる柵支持部材と、その下端が前記柵支持部材に回転可能に支持された複数個の縦棒と、この縦棒を相対的に回転可能に連結し複数個の前記縦棒を相互に平行になるように回動させる横棒と、前記縦棒のうちの少なくとも一つに設けられ前記縦棒が起立したときに前記縦棒をその状態に保持すると共に解除操作により前記縦棒の保持を解除するストッパと、前記縦棒の少なくとも一つに設けられ前記縦棒を倒れる方向に付勢する第１付勢部材とを有することを特徴とする。
【００１４】
例えば、前記ストッパは、前記縦棒のうちの一つに回転可能に支持されたストッパ板と、前記柵支持部材に固定されたストッパピンと、前記ストッパ板に形成され前記ストッパピンを挿通して前記ストッパ板に対する前記ストッパピンの位置を案内する溝と、を有し、前記溝は、前記縦棒が起立したときに前記ストッパピンを係止する係止部を有し、この係止を解除するために前記ストッパ板を強制的に回転させるものであることを特徴とする。
【００１５】
又は、前記ストッパは、前記横棒に固定されたストッパ基部と、このストッパ基部に対して前記横棒に接近離隔移動するように支持されたストッパ移動部と、前記縦棒のうちの一つに固定され前記縦棒と共に回転するストッパ回転部と、前記ストッパ移動部に固定された垂直のピンと、前記ストッパ回転部に形成され前記縦棒が起立したときに前記ピンが嵌合する孔と、を有し、前記ピンの前記孔への嵌合を解除するために、前記ストッパ移動部を前記横棒に近づく方向に強制的に移動させるものであることを特徴とする。
【００１６】
そして、前記ストッパ板を前記ストッパピンが前記係止部に入る方向に付勢する第２付勢部材を有することが好ましい。
【００１７】
更に、前記柵支持部材は、前記ベッド本体のフレームにこのフレームに固定され前記フレームに平行に延びるレールであることが好ましい。
【００１８】
本願第２発明に係るベッドの柵は、ベッド本体に回転可能に支持された１又は複数個のリンクと、このリンクの先端にリンクに対して回転可能に支持された柵本体と、前記棚本体が上端に回動しているときに前記棚本体と前記リンクの少なくとも一つとが相対的に回転しないように係止すると共にこの係止を解除して前記棚本体を下降させる係止部材と、前記リンクの少なくとも一つを前記棚本体が下降する方向に付勢する第１付勢部材を有することを特徴とする。
【００１９】
また、前記リンクの少なくとも一つを前記棚本体が上方に回動する方向に付勢する第２付勢部材を有することが好ましい。
【００２０】
これらのベッドの柵において、前記第１付勢部材は、例えば、ねじりコイルバネ、引張バネ若しくは弾性部材、又は圧縮バネである。
【００２１】
本願第１発明においては、第１付勢部材が、縦棒を倒す方向に付勢しているので、例えば、ピンが孔に引っかかりを生じて、柵の起立操作が不完全となった場合には、柵は第１付勢部材により付勢力を受けて下降してしまう。従って、柵が起立しているときは、ピンが孔に完全に係合して、ストッパ機能が完全に果たされている場合であり、柵に使用者の体重がかかっても、柵が不用意に落下してしまうことがない。
【００２２】
【発明の実施の形態】
以下、本発明の実施の形態について、添付の図面を参照して具体的に説明する。図１は本発明の第１実施形態における柵の全体図、図２はストッパ機構の拡大図である。本実施形態において、ストッパ板７，溝１０（屈曲部分１０ａ、直線部分１０ｂ）及び引張ばね１１を含むストッパ機構は従来と同様であり、図１１と同一構成物には同一符号を付してその詳細な説明は省略する。
【００２３】
本実施形態においては、ストッパ板７が設けられた縦棒２の隣の縦棒２にねじりコイルばね１４が設けられている点が図１１に示す従来の柵と異なる。このねじりコイルばね１４は、縦棒２の下端部が回転可能に支持される回転軸としてのレール１の連結部１３を外嵌するようにして設けられており、その一端１４ｂはレール１に設けた孔に挿入されて固定されており、他端１４ａは縦棒２の下端に設けられた垂直に延びる板状の係合部１２に係止されている。これにより、一端部１４ｂが固定された状態で、ねじりコイルばね１４が開こうとする付勢力により、他端部１４ａが係合部１２を押圧し、縦棒２を図２において反時計方向に回転する方向に付勢している。
【００２４】
次に、上述の如く構成された本実施形態の動作について説明する。図３（ａ）乃至（ｃ）は本実施形態の動作を示す図である。図２及び図３（ａ）に示すように、柵を起こして縦棒２を起立させると、ストッパ板７が図３（ｃ）、図３（ｂ）、図３（ａ）へと移動し、ピン９が溝１０の屈曲部分１０ａに入り込み、縦棒２が倒れないように、つまり、垂直に起立した状態を保持するように、ロックされる。一方、押圧部８を押すと、ストッパ板７は、図３（ａ）、図３（ｂ）、図３（ｃ）へと移動し、ピン９が溝１０内を屈曲部分１０ａから直線部分１０ｂに向けて移動して、縦棒２が倒れ、柵が下降する。
【００２５】
この場合に、作業者が柵を持ち上げたときに、図１２に示すように、ピン９が溝１０内で引っかかり１２を生じて、中途半端な状態で縦棒２が起立したとすると、作業者が柵から手を離したときに、縦棒２はねじりコイルばね１４により常に図２に矢印にて示す方向に回転するように付勢されているので、縦棒２はねじりコイルばね１４により付勢されて倒れる。このため、縦棒２がこの中途半端な状態で起立状態を保持することはなく、柵は下降する。よって、作業者は、ピン９が溝１０内で引っかかりを生じていることを認識することができ、ピン９が屈曲部分１０ａに確実に入り込んで確実にロックされるまで、柵を再度上昇させることができる。従って、柵が不用意に落下することを防止できる。
【００２６】
次に、図４乃至図６を参照して本発明の第２実施形態について説明する。本実施形態が、図１３に示す従来のベッドの柵と異なる点は、本実施形態においては、縦棒２の上端部の縦棒２と横棒３との連結軸２７（回転軸）に、ねじりコイルばね２８が設けられていることであり、その他の構成は従来と同様であるので、図１３と同一構成物には同一符号を付してその詳細な説明は省略する。このねじりコイルばね２８はその一端２８ｂが横棒３に固定されたストッパ基部２０に設けた孔に挿入されて固定されている。また、ねじりコイルばね２８の他端部２８ａは縦棒２の上端部に固定されたストッパ回転部２２の内面における連結軸２７より下方の部分に係止され、これにより、ねじりコイルばね２８は縦棒２を倒れる方向に回転するように付勢している。
【００２７】
次に上述の如く構成された本実施形態の柵の動作について説明する。下降している柵を持ち上げると、図６（ｃ）、図６（ｂ）、図６（ａ）に示すように縦棒２と横棒３との関係が変化し、ストッパ回転部２２の孔２５内にストッパ移動部２１のピン２３が入り込み、ストッパ回転部２２とストッパ移動部２１とが係止され、縦棒２が倒れないようにロックされる。また、横棒３とストッパ移動部２１を握ってストッパ移動部２１を持ち上げると、ピン２３が上昇して孔２５から抜け、縦棒２が横棒３に相対的に回転して、柵が下降する。
【００２８】
この場合に、作業者が柵を持ち上げたときに、図１４に示すように、ピン２３が孔２５に完全に入り込まないで、引っかかり２６を生じて中途半端な状態で縦棒２が起立したとすると、作業者が手を離したときに、縦棒２はねじりコイルばね２８により常に倒れる方向に付勢されているので、縦棒２はねじりコイルばね２８により付勢されて倒れ、柵が下降する。即ち、縦棒２が中途半端な状態で起立した状態を保持することはなく、柵は下降する。よって、作業者は、ピン２３が孔２５で引っかかりを生じていることを認識することができ、ピン２３が孔２５内に確実に入り込んで確実にロックされるまで、柵を再度上昇させることができる。従って、柵が不用意に落下することを防止できる。
【００２９】
次に、図７乃至１０を参照して本発明の第２実施形態について説明する。図７は側面図、図８はベッド内側からみた柵の図、図９（ａ）乃至（ｃ）は柵の移動動作を示す正面図である。ベッドのフレーム４０に昇降装置４１を介して柵本体４２が支持されている。柵本体４２は昇降装置４１によりベッドの側部で昇降移動する。
【００３０】
昇降装置４１は、ベッドフレーム４０の側部に固定された支持部４３と、この支持部４３に回転可能に支持された２個のリンク４４，４５とを有する。一方のリンク４４は支持部４３におけるベッド側部外方側の位置で回転軸４６により回転可能に支持されており、他方のリンク４５は支持部４３におけるベッド側部内方側の位置で回転軸４７により回転可能に支持されている。これらの回転軸４６，４７はベッドの側縁に平行である。そして、リンク４４，４５の他端は柵本体４２に回転可能に連結されており、これにより、リンク４４，４５が回転すると、図９（ａ）乃至（ｃ）に示すように、柵本体４２はその姿勢を垂直にしたまま、ベッドの側部で昇降することができる。
【００３１】
昇降装置４１には、ロック機構４８が設けられている。このロック機構４８は、柵本体４２が上端まで移動したときに、柵本体４２とリンク４４，４５との間の連結部において、リンク４４，４５が柵本体４２に対して回転しないように連結部を固定状態にする。柵を下げる場合には、このロック機構４８の取っ手を引くことにより、連結部の固定状態が解除され、リンク４４，４５が柵本体４２に対して相対的に回転することができ、これにより、柵本体４２が下降する。
【００３２】
本実施形態においては、図１０に示すように、リンク４４の回転軸４６にねじりコイルばね４９が装着されている。このねじりコイルばね４９は、リンク４４を柵本体４２が下降する方向に回転するように付勢している。
【００３３】
次に、上述の如く構成された本実施形態の柵の動作について説明する。柵本体４２を図９（ｃ）に示す下端位置から、図９（ｂ）を経由して、図９（ａ）に示すように持ち上げると、リンク４４，４５が柵本体４２に対して所定の角度になったときにロック機構４８が作用して、リンク４４，４５が逆に回転しないようにロックされ、柵本体４２が上端位置にロックされる。このロックは、ロック機構４８の取っ手を引くと外れ、リンク４４，４５が回転可能になり、柵本体４２が下降する。
【００３４】
本実施形態においては、ねじりコイルばね４９によりリンク４４が常に下降する方向に回転するように付勢されているので、柵本体４２を持ち上げたときに、ロック機構４８が完全に作動していない場合には、柵本体４２はその位置を保持せずに、ねじりコイルばね４９により下方に付勢されたリンク４４により、柵本体４２が下降する。これにより、柵本体４２が中途半端な状態で上端位置に保持されることがなく、不用意に落下することが防止される。
【００３５】
なお、上記各実施例においては、第１付勢部材として、ねじりコイルばねを使用したが、本発明はこれに限らず、ゴム又は引張ばねを縦棒２とレール１又はフレーム４０との間に設けて縦棒２に倒れる方向に引力を付加したり、又は圧縮ばねにより縦棒２に倒れる方向に押圧力を付加することにより、縦棒に付勢力を与えることができる。
【００３６】
【発明の効果】
以上説明したように、本発明によれば、柵を持ち上げたときに、ピンが引っかかっていたりして、ストッパ機構又はロック機構が十分に働いていない場合には、第１付勢部材により柵に対して下降する力が作用し、作業者はストッパ又はロックが不十分であることを直ちに認識することができ、再度柵の持ち上げ作業をすることにより、柵を確実にその上端位置に保持することができる。従って、柵が中途半端な状態で持ち上がった状態に保持されることがなく、不用意な落下を防止することができる。
【図面の簡単な説明】
【図１】本発明の第１実施形態を示す柵の側面図である。
【図２】同じくそのストッパ機構の拡大図である。
【図３】（ａ）乃至（ｃ）は同じくその動作を示す図である。
【図４】本発明の第２実施形態を示す柵の側面図である。
【図５】同じくそのストッパ機構の拡大図である。
【図６】（ａ）乃至（ｃ）は同じくその動作を示す図である。
【図７】本発明の第３実施形態の柵を示す側面図である。
【図８】この柵を裏側からみた図である。
【図９】（ａ）乃至（ｃ）はその動作を示す図である。
【図１０】そのねじりコイルばねを示す図である。
【図１１】従来のロック機構を示す図である。
【図１２】その問題点を示す図である。
【図１３】従来の他のロック機構を示す図である。
【図１４】その問題点を示す図である。
【符号の説明】
１：レール
２：縦棒
３：横棒
７：ストッパ板
８：押圧部
９：ピン
１０：溝
１０ａ：屈曲部分
１０ｂ：直線部分
１１：引張ばね
１２：係合部
１４：ねじりコイルばね
２０：ストッパ基部
２１：ストッパ移動部
２２：ストッパ回転部
２３：ピン
２４：圧縮ばね
２５：孔
２８：ねじりコイルばね
４０：フレーム
４１：昇降装置
４２：柵本体
４３：支持部
４４，４５：リンク
４６，４７：回転軸
４９：ねじりコイルばね
【図１】
2004236839.tif 000003
【図２】
2004236839.tif 000004
【図３】
2004236839.tif 000005
【図４】
2004236839.tif 000006
【図５】
2004236839.tif 000007
【図６】
2004236839.tif 000008
【図７】
2004236839.tif 000009
【図８】
2004236839.tif 000010
【図９】
2004236839.tif 000011
【図１０】
2004236839.tif 000012
【図１１】
2004236839.tif 000013
【図１２】
2004236839.tif 000014
【図１３】
2004236839.tif 000015
【図１４】
2004236839.tif 000016